(57)【要約】  デジタル放送受信装置は、ダミースロットを含まずにＴＳを出力するＴＳ選択機能と、変調方式と符号化率と選択スロット数に応じて分周した読み出しクロックで速度変換を行う速度変換機能と、変調方式と符号化率に応じてＰＣＲを付け替えるＰＣＲ付け替え機能を備えることで、実効レートでＴＳを出力する。
2009130875.tif 000002
【特許請求の範囲】
【請求項１】
メモリと、
ＴＳ信号を前記メモリに対し所定の書き込みクロックで書き込み、前記メモリに書き込んだ前記ＴＳ信号の一部を選択して読み出しクロックで読み出し出力するＴＳ選択速度変換器と、
前記ＴＳ選択速度変換器から出力されるＴＳ信号のＰＣＲを付け替えるＰＣＲ付け替え器と
を備え、
前記ＴＳ選択速度変換器は、変調方式と符号化率と選択スロット数に応じて読み出しレートを算出し、
前記ＰＣＲ付け替え器は、前記変調方式と前記符号化率に応じて前記ＰＣＲを付け替えるデジタル放送受信装置。
【請求項２】
前記ＴＳ選択速度変換器は、変調方式および符号化率に応じて読み出しクロックの分周比を算出する変調モード分周比算出器と、
前記変調モード分周比算出器が算出したクロックの分周比に基づいてクロックを分周する分周回路を備える請求項１に記載のデジタル放送受信装置。
【請求項３】
ダミースロットを挿入する出力モードと実効レートでの出力モードとを切り替える出力モード切り替え器を更に備える請求項１と請求項２のいずれか一つに記載のデジタル放送受信装置。
【請求項４】
前記ダミースロットを挿入する出力モードと前記実効レートでの出力モードとの切り替えをＴＭＣＣに埋め込まれた情報を元に切り替える請求項３に記載のデジタル放送受信装置。
【請求項５】
ダミースロットを挿入しないデジタル放送受信装置にＴＳ信号を送信するデジタル放送送信装置であって、
前記ＴＳ信号が正常にＴＳデコードできるように、前記ＴＳ信号にダミースロットを考慮せずＰＣＲを付与するデジタル放送送信装置。
【請求項６】
前記ダミースロットを含むＴＳ信号が正常にＴＳデコードできるように前記デジタル放送受信装置に合わせて、ダミースロットを考慮してＰＣＲを付加するＰＣＲ付加モードと、ダミースロットを考慮せずＰＣＲを付加するＰＣＲ付加モードを切り替えるＰＣＲモード切り替えスイッチを更に備えた、請求項５に記載のデジタル放送送信装置。
【請求項７】
ＰＣＲモード信号をＴＭＣＣ情報に多重化する請求項６に記載のデジタル放送送信装置。
【請求項８】
請求項５に記載のデジタル放送送信装置によって送出されるＴＳを受信するデジタル放送受信装置において、
メモリと、
前記ＴＳ信号を前記メモリに対し所定の書き込みクロックで書き込み、前記メモリに書き込んだＴＳ信号の一部を選択し、読み出しクロックで読み出し出力するＴＳ選択速度変換器と、
を備え、
前記ＴＳ選択速度変換器は、変調方式と符号化率と選択スロット数に応じて読み出しレートを算出するデジタル放送受信装置。
【請求項９】
前記ＴＳ選択速度変換器は、変調方式および符号化率に応じて読み出しクロックの分周比を算出する変調モード分周比算出器と、
前記変調モード分周比算出器が算出したクロックの分周比に基づいてクロックを分周する分周回路を備える請求項８に記載のデジタル放送受信装置。
【請求項１０】
前記ダミースロットを挿入する出力モードと実効レートでの出力モードを切り替える出力モード切り替え器を備える請求項８と請求項９のいずれか一つに記載のデジタル放送受信装置。
【請求項１１】
前記ダミースロットを挿入する出力モードと実効レートでの出力モードの切り替えをＴＭＣＣに埋め込まれた情報を元に切り替える請求項１０に記載のデジタル放送受信装置。
【請求項１２】
メモリと、
ＴＳ信号を前記メモリに対し所定の書き込みクロックで書き込み、前記メモリに書き込んだ前記ＴＳ信号の一部を選択して読み出しクロックで読み出し出力するＴＳ選択速度変換器と、
を備え、
前記ＴＳ選択速度変換器は、変調方式と符号化率と選択スロット数に応じて読み出しレートを算出するデジタル放送受信装置。
【発明の詳細な説明】
【技術分野】
【０００１】
この発明は、デジタル放送送受信装置に関する。
【背景技術】
【０００２】
近年、映像・音声のデジタル処理技術がめざましく進歩し、それにともないデジタル放送も高精細化が進んでおり、今後はスーパーハイビジョンといったさらに高精細なサービスも検討されている。【０００３】
従来のデジタル放送送受信装置の動作を、ＢＳデジタル放送を例にとって、以下、１３図〜図１７Ｃを参照しながら説明する。図１３は従来のＢＳデジタル放送受信装置の構成である。図１３は、従来のＢＳデジタル放送受信装置が信号をアンテナで受信し、トランスポートストリーム（ＴＳ）信号として出力するまでの主要部を示しており、映像・音声処理部や表示部などは省略している。このＢＳデジタル放送受信装置は、チューナ１００１、復調器１００２、主信号復号器１００３、ＴＭＣＣ復号器１００４、ダミースロット挿入器１００５、ＴＳ選択速度変換器１００６、メモリ１００７を備えている。ＴＭＣＣ復号器１００４は伝送制御データであるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号を復号する。ダミースロット挿入器１００５はダミー（無効）スロットを挿入する。ＴＳ選択速度変換器１００６は必要なＴＳ信号を選択・分離し、速度変換を行う。メモリ１００７はＴＳ選択速度変換器１００６が処理を行う際に一時的にデータを蓄える。【０００４】
図１４はＢＳデジタル放送の変調方式のスロット割り当てを示す。図１４は、変調方式および符号化率と、スロット数の最小単位と、有効スロット数と、無効スロット数との関係を示している。【０００５】
図１５Ａから図１５ＣはＢＳデジタル放送の変調モードのフレーム配置の例である。図１５Ａから図１５Ｃにおいて、四角の枠は夫々のスロットを表し、夫々の四角の枠の左に記載されている数値はスロット番号を表している。図１５Ａの場合は、１つ目のチャネル「ＣＨ１」がスロット番号「１」からスロット番号「４６」を使用して、変調方式がＴＣ８ＰＳＫである場合を示している。そうして、２つ目のチャネル「ＣＨ２」はスロット番号「４７」を変調方式ＴＣ８ＰＳＫで使用し、スロット番号「４８」はダミースロットである場合を示している。図１５Ｂと図１５Ｃは、他の場合を示しているが、説明は省略する。【０００６】
図１６は図１３におけるＴＳ選択速度変換器１００６の詳細を示す図である。ＴＳ選択速度変換器１００６は、書き込みアドレスカウンタ１０６３、読み出しアドレスカウンタ１０６６、分周回路１０６７、スロット数算出器１０６８を備えている。ライトイネーブル（ＷＥ）１０６１はメモリの書き込みを制御するライトイネーブル（ＷＥ）信号であり、書き込みクロック１０６２は書き込みに使われる。書き込みアドレスカウンタ１０６３はメモリ１００７に書き込むアドレスを生成する。リードイネーブル（ＲＥ）１０６４はメモリ１００７の読み出しを制御する。読み出しクロック１０６５はメモリ１００７の読み出しに使われる。読み出しアドレスカウンタ１０６６はメモリ１００７の読み出しアドレスを生成する。分周回路１０６７はクロックを分周・生成する。スロット数算出器１０６８はユーザーの選択チャンネルから割り当てスロット数を算出する。【０００７】
図１７Ａから図１７ＣはＢＳデジタルＢＳデジタル放送の変調モードとデジタル放送受信装置のＴＳ出力例である。図１７Ａから図１７Ｃにおいて、四角の枠は夫々のスロットを表し、夫々の四角の枠の左に記載されている数値はスロット番号を表している。図１７Ａの場合は、１つ目のチャネル「ＣＨ１」がスロット番号「１」からスロット番号「４４」を使用して、変調方式がＴＣ８ＰＳＫである場合を示している。そうして、２つ目のチャネル「ＣＨ２」はスロット番号「４５」を変調方式ＢＰＳＫ（１／２）で使用し、スロット番号「４６」からスロット番号「４８」まではダミースロットである場合を示している。図１７Ｂと図１７Ｃは、他の場合を示しているが、説明は省略する。【０００８】
以上、ＢＳデジタル放送での変調方式のスロット割り当ての例や、ＢＳデジタル放送の変調モードのフレーム配置の例や、ＢＳデジタルＢＳデジタル放送の変調モードとデジタル放送受信装置のＴＳ出力例などを説明した。次に、従来のデジタル放送送受信装置の動作を動作順に説明する。【０００９】
アンテナから１ＧＨｚ帯のＢＳ−ＩＦ信号が出力され、デジタル放送受信装置のチューナ１００１にそのＢＳ−ＩＦ信号が供給される。チューナ１００１は、希望チャンネルを選局し、直交検波し、直交検波した信号を復調装置１００２に供給する。復調器１００２は変調信号のキャリア再生、クロック再生、イコライジングなどを行う。復調器１００２は、復調した信号を主信号復号器１００３とＴＭＣＣ復号器１００４へ供給する。ＴＭＣＣ復号器１００４は、誤り訂正やデインターリーブ等を実行して復号したＴＭＣＣ信号を復調器１００２と主信号復号器１００３とダミースロット挿入器１００５とＴＳ選択速度変換器１００６に送り、これらを制御に用いられる。主信号復号器１００３は誤り訂正やデインターリーブ等された主信号ＴＳをダミースロット挿入器１００５に出力する。【００１０】
デジタル放送規格では状況に応じて使い分けられるように複数の変調方式と符号化率が規定されており、変調方式と符号化率の組み合わせに応じて伝送効率が異なる。ＢＳデジタル放送では、伝送効率に応じて、図１４のスロット割り当てのように、ダミー（無効）スロットが割り当てられている。図１５Ａから図１５Ｃは、この割り当てルールに従ってスロットをフレームに割り付けた一例を示している。ＴＣ８ＰＳＫに比べ伝送効率の低いＱＰＳＫやＢＰＳＫでは、伝送効率に応じてダミースロットが割り当てられる。また、デジタル放送では送信装置と受信装置の時刻同期を行うため、ＰＣＲ（Ｐｒｏｇｒａｍ  Ｃｌｏｃｋ  Ｒｅｆｅｒｅｎｃｅ）と呼ばれる基準信号がＭＰＥＧ２−ＴＳのパケット内に付加されている。複数の変調方式を伝送する複数ＴＳの合成においては、各ＴＳの時間基準を送受間で保持するため、それぞれのＴＳでのダミースロットをヌルパケットとしてＰＣＲが設定される。デジタル放送送信装置では図１４の割り当てルールに従って、ＴＳ信号の変調モード（変調方式と符号化率）に応じてダミースロットが挿入され、ＰＣＲが付加される。その後ダミースロットが除去されて、多重化・変調が行われて送出される。また、デジタル放送受信装置においても、ダミースロット挿入器１００５で、図１４の割り当てルールに従って変調モードに応じてダミースロットを挿入する。この処理により、受信装置の出力のレートが変調モードによらず一定になるという利点がある。【００１１】
ＴＳ選択速度変換器１００６では、復号されたＴＳ信号のうち、必要な（ユーザーが選択したチャンネルに関連した）ＴＳのみを選択・分離して出力する。ＴＳは、選択されたＴＳのみをメモリ１００７に一旦蓄え、読み出すことで、選択・分離される。また、変調モードに応じて読み出しクロックを制御することで速度変換が行われる。【００１２】
ＴＳの選択・分離および速度変換の動作について、図１５Ｂのフレーム配置を例に取ってさらに説明する。図１５Ｂに記載の「１」〜「４８」の数字はスロット番号である。例えば、ユーザーが「ＣＨ１」を選択したい場合、ＴＳ選択速度変換器１００６は、スロット番号「１」からスロット番号「４８」スロットまで順に処理をする際にスロット番号「１」からスロット番号「４４」の期間のみでＷＥ１０６１を有効にすることでメモリ１００７には「ＣＨ１」のＴＳのみが書き込まれ、「ＣＨ２」のＴＳは書き込まれない。このようにＷＥ１０６１信号を制御することでＴＳの選択を行うことができる。また、メモリ１００７から読み出す際には、分周回路１０６７が分周したクロックを読み出しクロック１０６５として読み出される。分周比はユーザーの選択しているチャンネル情報とＴＭＣＣ情報から、スロット数算出器１０６８が算出する。選択スロット数をＮ、全スロット数をＮｍａｘとすると「分周比＝Ｎ／Ｎｍａｘ」となる。図１５Ｂの「ＣＨ１」のフレーム配置では、「ＣＨ１」には４４スロット割り当てられており、全スロット数は４８なので「分周比＝４４／４８」となる。このときのＴＳ出力は図１７Ｂのように４８スロットの時間に４４スロットを出力するように、速度変換されている。【００１３】
しかしながら上述の従来例のような構成では、次のような問題点を有している。今後、ハイビジョン放送やスーパーハイビジョン放送といった放送の高精細化が進むにしたがって伝送する情報のレートが増大することが考えられる。従来の構成では、変調モードによっては、図１７Ｃのようにダミースロットが挿入されているために、出力レートに比べ、実効レートが低くなってしまう（図１７Ｃの例では１／４）。そのため、高精細な映像を伝送するために情報レートが増大した場合、出力レートが高くなりすぎてしまい、後段で非常に高速な処理が必要になる。また、ＤＶＢ−ＡＳＩといった標準のインターフェースのレートに収まらなくなる。
【先行技術文献】
【特許文献】
【００１４】
【特許文献１】特開平１０−３２２３８８号公報
【発明の概要】
【００１５】
デジタル放送受信装置は、メモリと、ＴＳ信号をメモリに対し所定の書き込みクロックで書き込みメモリに書き込んだＴＳ信号の一部を選択して読み出しクロックで読み出し出力するＴＳ速度変換器と、ＴＳ速度変換器から出力されるＴＳ信号のＰＣＲを付け替えるＰＣＲ付け替え器とを備える。ＴＳ選択速度変換器は変調方式と符号化率と選択スロット数に応じて分周比を算出し、ＰＣＲ付け替え器は変調方式と前記符号化率に応じてＰＣＲを付け替える。
【００１６】
デジタル放送送信装置は、ダミースロットを挿入しないデジタル放送受信装置にＴＳ信号を送信するデジタル放送送信装置であって、ＴＳ信号が正常にＴＳデコードできるようにＴＳ信号にダミースロットを考慮せずＰＣＲを付与する。
【００１７】
デジタル放送受信装置は、メモリと、ＴＳ信号をメモリに対し所定の書き込みクロックで書き込み、メモリに書き込んだＴＳ信号の一部を選択して読み出しクロックで読み出し出力するＴＳ選択速度変換器とを備え、ＴＳ選択速度変換器は変調方式と符号化率と選択スロット数に応じて読み出しレートを算出する。
【図面の簡単な説明】
【００１８】
【図１】図１は本発明の実施の形態１のデジタル放送受信装置の構成を示すブロック図である。
【図２】図２は本発明のＴＳ選択速度変換器の構成を示すブロック図である。
【図３Ａ】図３Ａは本発明のＢＳデジタル放送の変調モードのＴＳ出力例を示す図である。
【図３Ｂ】図３Ｂは本発明のＢＳデジタル放送の変調モードのＴＳ出力例を示す図である。
【図３Ｃ】図３Ｃは本発明のＢＳデジタル放送の変調モードのＴＳ出力例を示す図である。
【図４】図４はＭＰＥＧ２−ＴＳのパケット構成を示す図である。
【図５】図５はＭＰＥＧ２−ＴＳにおける多重化を示す図である。
【図６】図６はパケット単位でダミー挿入されるフレーム構成を示す図である。
【図７Ａ】図７Ａはパケット単位での速度変換のＴＳ出力を示す図である。
【図７Ｂ】図７Ｂはパケット単位での速度変換のＴＳ出力を示す図である。
【図７Ｃ】図７Ｃはパケット単位での速度変換のＴＳ出力を示す図である。
【図８】図８は本発明の実施の形態２のデジタル放送受信装置の構成を示すブロック図である。
【図９】図９は本発明の実施の形態３のデジタル放送受信装置の構成を示すブロック図である。
【図１０】図１０はＢＳデジタル放送のＴＭＣＣ情報の構成を示す図である。
【図１１】図１１は本発明の実施の形態５における多重化装置の構成例を示すブロック図である。
【図１２】図１２は本発明の実施の形態６における多重化装置の構成例を示すブロック図である。
【図１３】図１３は従来のデジタル放送受信装置の構成を示すブロック図である。
【図１４】図１４はＢＳデジタル放送の変調方式のスロット割り当てを示す図である。
【図１５Ａ】図１５ＡはＢＳデジタル放送の変調モードのフレーム配置例を示す図である。
【図１５Ｂ】図１５ＢはＢＳデジタル放送の変調モードのフレーム配置例を示す図である。
【図１５Ｃ】図１５ＣはＢＳデジタル放送の変調モードのフレーム配置例を示す図である。
【図１６】図１６は従来のＴＳ選択速度変換装置の構成を示すブロック図である。
【図１７Ａ】図１７ＡはＢＳデジタル放送の変調モードのＴＳ出力例を示す図である。
【図１７Ｂ】図１７ＢはＢＳデジタル放送の変調モードのＴＳ出力例を示す図である。
【図１７Ｃ】図１７ＣはＢＳデジタル放送の変調モードのＴＳ出力例を示す図である。
【発明を実施するための形態】
【００１９】
以下、本発明の実施の形態について図を用いて説明する。
【００２０】
（実施の形態１）
図１は本発明の実施の形態１におけるデジタル放送受信装置のブロック構成図を示す。図１において、チューナ１、復調器２、主信号復号器３、ＴＭＣＣ復号器４、ダミースロット挿入器５、ＴＳ選択速度変換器６、メモリ７は、図１３のチューナ１００１、復調器１００２、主信号復号器１００３、ＴＭＣＣ復号器１００４、ダミースロット挿入器１００５、ＴＳ選択速度変換器１００６、メモリ１００７と同様である。ＰＣＲ付け替え器８はＰＣＲの付け替えを行う。ＴＳ選択速度変換器６に関しては従来のデジタル放送受信装置と同様にＴＳの選択と速度変換を行うが、読み出しクロックの生成方法が異なっている。
【００２１】
図２は本発明のＴＳ選択速度変換器６の詳細図である。図２におけるＷＥ６１、書き込みクロック６２、書き込みアドレスカウンタ６３、ＲＥ６４、読み出しクロック６５、読み出しアドレスカウンタ６６、スロット数算出器６８は、図１６のＷＥ１０６１、書き込みクロック１０６２、書き込みアドレスカウンタ１０６３、ＲＥ１０６４、読み出しクロック１０６５、読み出しアドレスカウンタ１０６６、スロット数算出器１０６８と同様である。変調モード分周比算出器６９は変調方式および符号化率に応じて読み出しクロックの分周比を算出する。そして、分周回路６７は、変調モード分周比算出器６９が算出したクロックの分周比に基づいてクロックを分周・生成する。
【００２２】
以上のように構成されたデジタル放送受信装置について、以下、図を参照しながら動作を説明する。アンテナから信号を受信し、復調、復号処理を経て、ダミースロットを挿入して後段に出力するまでは従来のデジタル放送受信装置と同様の動作であるので、説明は省略する。
【００２３】
ダミースロットを挿入されたＴＳはＴＳ選択速度変換器６に入力される。まずは、ＴＳの選択動作について、従来のデジタル放送受信装置との差異を説明する。本発明のデジタル放送受信装置では、ＴＳを選択・出力する際にダミースロットを出力しないことを特徴とする。図１５Ｃのフレームにおける「ＣＨ２」を選択したい場合、従来のデジタル放送受信装置では、スロット番号「４５」からスロット番号「４８」までの期間にＷＥ１０６１信号を有効にして、メモリ１００７に書き込む。本発明のデジタル放送受信装置では、有効スロットであるスロット番号「４５」およびスロット番号「４７」の期間のみＷＥ６１信号を有効にしてメモリ７に書き込む。このようなＷＥ６１信号の制御を行うことで、ダミースロット出力しないＴＳの選択が可能である。
【００２４】
次に、速度変換動作について説明する。従来のデジタル放送受信装置では、選択スロット数のみに応じて分周比を決定する。一方、本発明のデジタル放送受信装置では、変調方式および符号化率によっても分周比を決定する。前述のように、デジタル放送では変調方式および符号化率に応じてダミースロットの挿入量が決定される。本発明の速度変換ではダミースロットを考慮せずに速度変換をするので、「分周比＝有効スロット数／（有効スロット数＋無効スロット数）」となる。さらに、従来同様に選択スロットによる分周も行うため、最終的には「分周比＝Ｎ／Ｎｍａｘ×有効スロット数／（有効スロット数＋無効スロット数）」となる。
【００２５】
図３Ａから図３Ｃは本発明のＢＳデジタル放送の変調モードとＴＳ出力例を示す図である。図３Ａから図３Ｃにおいて、四角の枠は夫々のスロットを表し、夫々の四角の枠の左に記載されている数値はスロット番号を表している。図３Ａは「ＣＨ１」と「ＣＨ２」の全体を示し、図３Ｂは「ＣＨ１」に相当し、図３Ｃは「ＣＨ２」に相当する。図１５Ｃの例において、「ＣＨ２」を選択する際は、Ｎ＝４、Ｎｍａｘ＝４８、有効スロット数＝１、無効スロット数＝１であるので、「ＣＨ２」を選択する際の分周比は、「４／４８×１／（１＋１）」となる。
【００２６】
このときの出力ＴＳは図３Ｃのようになり、４８スロットの期間に２スロット分のデータが出力される。そのため、出力レートは実効レートとなり、従来の半分のレートで出力することができる。しかしながら、送信装置ではダミースロットが挿入されて出力されることを想定して時間調整のＰＣＲが付加されているため、単にダミースロットを除去しただけでは出力ＴＳのＰＣＲに矛盾が生じてしまう。
【００２７】
そこで、本発明ではダミースロットなしで選択・速度変換されたＴＳがＰＣＲ付け替え器８に入力されて、ＰＣＲ付け替え器８はＰＣＲの付け替えを行う。そこで、図４はＭＰＥＧ２−ＴＳのパケット構成を示す。図４において、括弧内に記載されている数値はバイト数を表している。
【００２８】
図４は、ＭＰＥＧ２−ＴＳのパケット構成を示す。ＰＣＲは、図４に示すＭＰＥＧ２−ＴＳのパケット構成のように、１８８バイトのＭＰＥＧ２−ＴＳパケットのＯｐｔｉｏｎａｌ  Ｆｉｅｌｄｓに４８ビットで割り当てられている。
【００２９】
また、図５はＭＰＥＧ２−ＴＳでの多重化の構造を示している。図５において、「ｘ００００」は数値表現形式を規定している記号である。ＭＰＥＧ２−ＴＳではＰＣＲは図５のように多重化されており、一般に以下の手順で抽出される。まず、パケット番号が「０」のパケットが探され、解析されて、ＰＭＴのＰＩＤが取得される。次に、ＰＩＤがＰＭＴのＰＩＤと一致するパケットが探され、解析が行われて、ＰＣＲのＰＩＤが取得される。最後にＰＩＤがＰＣＲのＰＩＤと一致するパケットが探され、ＰＣＲの値が取得される。このようにして抽出されたＰＣＲの値を本発明では次のように付け替える。
【００３０】
あるＰＣＲをＰＣＲｎとし、その次のＰＣＲをＰＣＲｎ＋１とする。そうして、ＰＣＲｎ＋１とＰＣＲｎとの間のデータ量をＰＣＲｎ＋１とＰＣＲｎの値の差分で割ると、時間当たりのデータ量に相当する値が得られる。ＰＣＲ付け替え器８に入力されるＴＳはＴＳ選択速度変換器６でダミースロットが除去されているため、ＰＣＲｎ＋１とＰＣＲｎと間のデータ量は「有効スロット数／（有効スロット数＋無効スロット数）」となっている。そこで、ＰＣＲｎ＋１とＰＣＲｎの値の差分も「有効スロット数／（有効スロット数＋無効スロット数）」となるようＰＣＲｎ＋１を算出して、付け替えられる。この作業により、ダミースロットを除去したＴＳにおいてもＰＣＲの矛盾がなくなり、正常に映像・音声を再生することができる。
【００３１】
なお、実施の形態１ではＢＳデジタル放送のフレーム構成を例にとったが、異なるフレーム構成においても実施の形態１と同様の受信装置の構成および処理フローで同様の効果を得ることができることは明らかである。そこで、図６はフレーム構成の例を示す。例えば、図６に示すようなフレーム構成を例に挙げて、以下説明する。図６において、枠の左に縦方向に記載されている数値はスロット番号を表し、各スロットにおけるパケット６０１を横方向に並べて示している。図６は、簡単のため、１フレームを１０スロットとし、スロット番号「１」からスロット番号「５」に「ＣＨ１」が、スロット番号「６」からスロット番号「１０」に「ＣＨ２」が割り当てられている場合を示している。また、スロットはスロットの下位概念であるパケット６０１（ここでは１スロット２８パケット）に分割されている。また、変調方式の伝送効率の差をスロット単位のダミー挿入で解消し、符号化率による伝送効率の差をパケット単位のダミー挿入で解消するようなフレーム構成となっている。変調方式に応じたスロット単位のダミー６０３の挿入や、符号化率に応じたパケット単位のダミー６０２の挿入が行われている。
【００３２】
次に、図７Ａから図７Ｃはパケット単位での速度変換のＴＳ出力を示す。図７Ａは送信側でのフレームを示す。図７Ｂは受信側で「ＣＨ２」を選択時に全ダミーを除去する場合を示し、図７Ｃは受信側で「ＣＨ２」を選択時にスロット単位にダミーを除去する場合を示している。図６のようなフレーム構成の場合、図７Ａに示す出力と図７Ｂに示す出力とが考えられる。図７Ｂは、すべてのダミーデータを除去する出力の場合を示し。図７Ｃは、スロット単位のダミーデータのみを除去し、１スロット当たりのパケット数は固定にした出力の場合を示す。これはメモリ７に書き込む際のＷＥ６１信号期間にパケット単位のダミーデータを含まなければ図７ＢのＴＳ選択となり、含めれば図７ＣのＴＳ選択となる。このときの分周比に関しては、図７Ｂ、図７ＣいずれのＴＳ出力においても「分周比＝選択パケット数／１フレームの全パケット数」とすることで、速度変換可能である。具体的な分周比は図７Ｂの場合は全スロット数が２８パケット×１０スロットの２８０パケットであるのに対し、選択パケット数が１４パケット×４スロットの５６パケットであることから、「分周比＝５６／２８０」となる。図７Ｃの場合は、同様に、選択パケット数が２８パケット×４であることから「分周比＝１１２／２８０」となる。同様にＰＣＲに関してもＰＣＲｎ＋１とＰＣＲｎの値の差分も「選択パケット数／１フレームの全パケット数」となるように付け替えればよい。
【００３３】
このように、図６のフレーム構成においても実施の形態１と同様の構成および処理手順にて同様の効果を得ることができる。
【００３４】
（実施の形態２）
次に、本発明の実施の形態２について説明する。実施の形態２は、出力するＴＳのダミースロットの有無と、ＰＣＲの付け替えを行うか行わないかの切換えを任意に変更できるようにしたものである。図８は本発明の実施の形態２におけるデジタル放送受信装置のブロック図である。なお、図８において、上記実施の形態１の図１と同一部分には同一符号を付し、詳しい説明は省略する。
【００３５】
本発明のデジタル放送受信装置におけるＴＳの選択動作に関しては、ハードウェアの構成を変更することなく、ＷＥ６１を有効にする期間にダミースロット期間を含めるかどうかを切り替えるだけで従来のデジタル放送受信装置の動作と切り替えることができる。同様に、速度変換動作に関しては「分周比＝Ｎ／Ｎｍａｘ×有効スロット数／（有効スロット数＋無効スロット数）」の分周比算出式において、「無効スロット数＝０」とすることで、従来のデジタル放送受信装置と同様の速度変換処理に切り替えることができる。さらに、ＰＣＲ付け替え処理に関しては、ＰＣＲ付け替え値を決定する式「有効スロット数／（有効スロット数＋無効スロット数）」において「無効スロット数＝０」とすれば従来のデジタル放送受信装置と同様の動作に切り替えることができる。
【００３６】
そうして、図８は本発明の実施の形態２におけるデジタル放送受信装置のブロック構成図を示す。図８において、実施の形態２におけるデジタル放送受信装置では、出力モード信号発生器９が設けられている。図８に示す実施の形態２におけるデジタル放送受信装置と、図１に示した実施の形態１におけるデジタル放送受信装置のブロック構成図との主な相違点は、この出力モード信号発生器９である。出力モード信号発生器９以外については、図１に示す実施の形態１におけるデジタル放送受信装置と同様であるため、出力モード信号発生器９を中心に説明する。出力モード信号発生器９は、ＴＳ選択速度変換器６およびＰＣＲ付け替え器８に出力モード信号を送る。送られた出力モード信号によって、例えば出力モード信号がＨＩであればＴＳの出力モードはダミースロットを挿入したＴＳ出力のモードに切り替えられ、出力モード信号がＬＯＷであればダミースロットを含まないＴＳ出力のモードに切り替えられる。
【００３７】
このような構成を取ることで、後段に出力するＴＳのモードを任意に切り替えることができるため、接続の互換性、柔軟性に優れた構成となる。
【００３８】
なお、図６のようなフレーム構成で、ダミースロットの出力モードを図７Ｂまたは図７Ｃのようにさらに切り替えることが可能である。
【００３９】
（実施の形態３）
次に、本発明における実施の形態３について説明する。発明の実施の形態３は、上述の出力モードの切換えをＴＭＣＣに割り当てた信号に基づいて変更できるようにしたものである。図９は本発明の実施の形態３におけるデジタル放送受信装置のブロック図を示す。なお、図９において実施の形態２の図８と同一部分には同一符号を付して詳しい説明は省略する。図９における、図８との差異は出力モード信号発生器９にＴＭＣＣ復号装置４で復号されたＴＭＣＣ信号が入力されている点である。以下、この点を中心に説明する。
【００４０】
図１０はＢＳデジタル放送のＴＭＣＣ情報の構成を示す。図１０において、括弧内に記載されている数値はバイト数を示している。例えば、ＴＭＣＣの「拡張領域」の所定のビットに出力モードを表す信号が割り当てられている。デジタル放送受信装置は、このビットが０であれば従来のデジタル放送受信装置の出力モードで、１であれば本発明のデジタル放送受信装置の出力モードで出力する。このような構成を取ることで、本発明のデジタル放送受信装置は、ＴＭＣＣ信号に応じて自動的に出力モードを切り替えることができる。これにより、例えば伝送レートの低い放送は従来の出力モードで、高い放送は本発明の出力モードと言った具合に使い分けることが可能である。
【００４１】
なお、図６のようなフレーム構成で、ダミースロットの出力モードを図７Ｂまたは図７Ｃのようにさらに切り替える場合には、ＴＭＣＣにさらにもう１ビットを割り当てれば、出力モードを選択可能であることは明らかである。
【００４２】
（実施の形態４）
次に、本発明における実施の形態４について説明する。前述のように、デジタル放送では、伝送効率に応じてダミースロットを割り当てることとなっている。そのため従来の送信装置側では、受信装置側がダミースロットを挿入することを前提にダミースロットを考慮してＰＣＲを設定し、送信装置側からはダミースロットのない状態で受信装置に送信する。本発明の受信装置側でダミースロットを付加せずに出力することを前提にしている。そこであらかじめ、受信装置側でダミースロットを除去することを想定して、送信装置側でＰＣＲを付加する際にダミースロットを考慮せずＰＣＲを付加する。
【００４３】
このように送信装置側でＰＣＲ設定されたＴＳ信号を受信するデジタル放送受信装置の構成は、従来の図１３におけるデジタル放送受信装置のＴＳ選択速度変換器１００６が図２の構成になったものである。この構成において、実施の形態１と同様のＴＳ選択処理および速度変換処理を行うことで、実効レートでＴＳを出力することができる。
【００４４】
（実施の形態５）
次に、本発明における実施の形態５について説明する。図１１は、本発明の実施の形態５における多重化装置の構成例を示す図である。発明の実施の形態５における多重化装置は、ダミースロット付加器１０、ＰＣＲ打ち直し器１１、ＰＣＲモード切り替えスイッチ１２、ダミースロット除去器１３、ＴＳ多重器１４、変調器１５を備えている。
【００４５】
実施の形態５での送信側の多重化処理において、実施の形態４と異なっている点は、ダミースロットを考慮してＰＣＲを付加するモードとダミースロットを考慮せずにＰＣＲを付加するモードとを選択的に切り替えることができる点である。以下、この点を中心に説明する。
【００４６】
あらかじめ、ＰＣＲを付加されたＴＳはダミースロット付加器１０に入力され、変調方式と符号化率に応じてダミースロットが付加される。ＰＣＲ打ち直し器１１は、ダミースロットが付加されたＴＳに対してダミースロットを考慮してＰＣＲを付加しなおしたＴＳを生成する。ダミースロット付加器１０から出力されるＰＣＲを打ち直さないＴＳとＰＣＲ打ち直し器１１から出力されるダミースロットが付加されたＴＳの２系統がＰＣＲモード切り替えスイッチ１２に入力される。ＰＣＲモード切り替えスイッチ１２は、ＰＣＲモード選択信号によってダミースロットを考慮してＰＣＲを打ち直したＴＳか、ダミースロットを考慮せずにＰＣＲを付加したＴＳの選択を行う。選択されたＴＳのみが、ダミースロット除去器１３を介して、ＴＳ多重器１４に供給される。ＴＳ多重器１４は複数のＴＳやＴＭＣＣ情報などを多重し、変調器１５に供給する。変調器１５は供給された情報を変調し、変調波として出力する。なお、ＰＣＲモード切り替えスイッチ１２は、ダミースロットを挿入する出力モードと実効レートでの出力モードとを切り替える出力モード切り替え器の一例である。
【００４７】
このような構成とすることで、ＰＣＲの付加方法を番組や変調方式に応じて任意に選択することが可能となる。
【００４８】
（実施の形態６）
次に、本発明における実施の形態６について説明する。図１２は、本発明の実施の形態６の多重化装置の構成例を示す図である。図１２に示した本実施の形態の多重化装置の構成例が図１１に示した実施の形態５の多重化装置の構成例と異なる点は、ＰＣＲモード選択信号がＴＳ多重器１４にも入力されている点である。以下、この点を中心に説明する。
【００４９】
ＰＣＲモード選択信号はＰＣＲモード切り替えスイッチ１２に入力され、ＰＣＲモード切り替えスイッチ１２はダミースロットを考慮してＰＣＲを打ち直したＴＳか、ダミースロットを考慮せずにＰＣＲを付加したＴＳの選択を行う。それととともに、ＰＣＲモード選択信号はＴＳ多重器１４にも入力される。ＴＳ多重器１４は、ＰＣＲモード選択信号をＴＭＣＣの拡張領域に割り付けてＴＳに多重化する。
【００５０】
受信装置側は、このようにしてＴＭＣＣの拡張領域に割り当てられたＰＣＲモード選択信号の情報を利用することで、送信側でのＰＣＲ付加のモードがダミースロットを考慮したモードか、考慮していないモードかを判別することができる。そこで、送信側がダミースロットを考慮してＰＣＲを付加していれば、受信装置側でもダミースロットを付加して出力し、送信側がダミースロットを考慮せずにＰＣＲを付加していれば、受信装置側でもダミースロットを付加しないといった処理を自動で行うことができる。なお、受信装置側でのダミースロットの付加や除去の処理は、実施の形態２と同様であるため、説明は省略する。
【００５１】
なお、本発明の実施例ではＢＳデジタル放送を例に取ったが、本発明はＢＳデジタル放送に限定されるものではなく、地上波デジタル放送、ＣＡＴＶデジタル放送などの様々なデジタル放送にて実施可能である。
【００５２】
以上の説明から明らかな通り、本発明のデジタル放送受信装置は、ダミースロットを含まずにＴＳを出力するＴＳ選択機能と、変調方式と符号化率と選択スロット数に応じて分周した読み出しクロックで速度変換を行う速度変換機能と、変調方式と符号化率に応じてＰＣＲを付け替えるＰＣＲ付け替え機能を備えることにより、ＴＳの出力レートを実効レートに抑えてＴＳを出力できる。
【産業上の利用可能性】
【００５３】
本発明にかかるデジタル放送受信装置は、ダミースロットの有無に応じたＰＣＲ管理を行うＴＳ多重化装置によって多重化されたＴＳ信号を、出力レートを実効レートに抑えて出力することができるものであり、伝送量の大きな信号を扱うデジタル放送受信装置等において有用である。
【符号の説明】
【００５４】
１    チューナ
２    復調器
３    主信号復号器
４    ＴＭＣＣ復号器
５    ダミースロット挿入器
６    ＴＳ選択速度変換器
７    メモリ
８    ＰＣＲ付け替え器
９    出力モード信号発生器
１０    ダミースロット付加器
１１    ＰＣＲ打ち直し器
１２    ＰＣＲモード切り替えスイッチ
１３    ダミースロット除去器
１４    ＴＳ多重器
１５    変調器
【図１】
2009130875.tif 000003
【図２】
2009130875.tif 000004
【図３Ａ】
2009130875.tif 000005
【図３Ｂ】
2009130875.tif 000006
【図３Ｃ】
2009130875.tif 000007
【図４】
2009130875.tif 000008
【図５】
2009130875.tif 000009
【図６】
2009130875.tif 000010
【図７Ａ】
2009130875.tif 000011
【図７Ｂ】
2009130875.tif 000012
【図７Ｃ】
2009130875.tif 000013
【図８】
2009130875.tif 000014
【図９】
2009130875.tif 000015
【図１０】
2009130875.tif 000016
【図１１】
2009130875.tif 000017
【図１２】
2009130875.tif 000018
【図１３】
2009130875.tif 000019
【図１４】
2009130875.tif 000020
【図１５Ａ】
2009130875.tif 000021
【図１５Ｂ】
2009130875.tif 000022
【図１５Ｃ】
2009130875.tif 000023
【図１６】
2009130875.tif 000024
【図１７Ａ】
2009130875.tif 000025
【図１７Ｂ】
2009130875.tif 000026
【図１７Ｃ】
2009130875.tif 000027
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
メモリと、
ＴＳ信号を前記メモリに対し所定の書き込みクロックで書き込み、前記メモリに書き込んだ前記ＴＳ信号の一部を選択して読み出しクロックで読み出し出力するＴＳ選択速度変換器と、
前記ＴＳ選択速度変換器から出力されるＴＳ信号のＰＣＲを付け替えるＰＣＲ付け替え器と
を備え、
前記ＴＳ選択速度変換器は、変調方式と符号化率と選択スロット数と全スロット数とに応じて読み出しレートを算出し、
前記ＰＣＲ付け替え器は、前記変調方式と前記符号化率と選択スロット数と全スロット数とに応じて前記ＰＣＲを付け替えるデジタル放送受信装置。
【請求項２】
前記ＴＳ選択速度変換器は、変調方式および符号化率に応じて読み出しクロックの分周比を算出する変調モード分周比算出器と、
前記変調モード分周比算出器が算出したクロックの分周比に基づいてクロックを分周する分周回路を備える請求項１に記載のデジタル放送受信装置。
【請求項３】
ダミースロットを挿入する出力モードと実効レートでの出力モードとを切り替える出力モード切り替え器を更に備える請求項１と請求項２のいずれか一つに記載のデジタル放送受信装置。
【請求項４】
前記ダミースロットを挿入する出力モードと前記実効レートでの出力モードとの切り替えをＴＭＣＣに埋め込まれた情報を元に切り替える請求項３に記載のデジタル放送受信装置。
【請求項５】
ダミースロットを挿入しないデジタル放送受信装置にＴＳ信号を送信するデジタル放送送信装置であって、
前記ＴＳ信号が正常にＴＳデコードできるように、前記ＴＳ信号にダミースロットを考慮せずＰＣＲを付与するデジタル放送送信装置。
【請求項６】
前記ダミースロットを含むＴＳ信号が正常にＴＳデコードできるように前記デジタル放送受信装置に合わせて、ダミースロットを考慮してＰＣＲを付加するＰＣＲ付加モードと、ダミースロットを考慮せずＰＣＲを付加するＰＣＲ付加モードを切り替えるＰＣＲモード切り替えスイッチを更に備えた、請求項５に記載のデジタル放送送信装置。
【請求項７】
ＰＣＲモード信号をＴＭＣＣ情報に多重化する請求項６に記載のデジタル放送送信装置。
【請求項８】
メモリと、
ダミースロットを考慮せずＰＣＲが付与されたＴＳ信号を前記メモリに対し所定の書き込みクロックで書き込み、前記メモリに書き込んだＴＳ信号の一部を選択し、読み出しクロックで読み出し出力するＴＳ選択速度変換器と、
を備え、
前記ＴＳ選択速度変換器は、変調方式と符号化率と選択スロット数と全スロット数とに応じて読み出しレートを算出するデジタル放送受信装置。
【請求項９】
前記ＴＳ選択速度変換器は、変調方式と符号化率と選択スロット数と全スロット数とに応じて読み出しクロックの分周比を算出する変調モード分周比算出器と、
前記変調モード分周比算出器が算出したクロックの分周比に基づいてクロックを分周する分周回路を備える請求項８に記載のデジタル放送受信装置。
【請求項１０】
前記ダミースロットを挿入する出力モードと実効レートでの出力モードを切り替える出力モード切り替え器を備える請求項８と請求項９のいずれか一つに記載のデジタル放送受信装置。
【請求項１１】
前記ダミースロットを挿入する出力モードと前記実効レートでの出力モードの切り替えをＴＭＣＣに埋め込まれた情報を元に切り替える請求項１０に記載のデジタル放送受信装置。
【手続補正２】
【補正対象書類名】明細書
【補正対象項目名】０００３
【補正方法】変更
【補正の内容】
【０００３】
従来のデジタル放送送受信装置の動作を、ＢＳデジタル放送を例にとって、以下、図１３〜図１７Ｃを参照しながら説明する。図１３は従来のＢＳデジタル放送受信装置の構成である。図１３は、従来のＢＳデジタル放送受信装置が信号をアンテナで受信し、トランスポートストリーム（ＴＳ）信号として出力するまでの主要部を示しており、映像・音声処理部や表示部などは省略している。このＢＳデジタル放送受信装置は、チューナ１００１、復調器１００２、主信号復号器１００３、ＴＭＣＣ復号器１００４、ダミースロット挿入器１００５、ＴＳ選択速度変換器１００６、メモリ１００７を備えている。ＴＭＣＣ復号器１００４は伝送制御データであるＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ）信号を復号する。ダミースロット挿入器１００５はダミー（無効）スロットを挿入する。ＴＳ選択速度変換器１００６は必要なＴＳ信号を選択・分離し、速度変換を行う。メモリ１００７はＴＳ選択速度変換器１００６が処理を行う際に一時的にデータを蓄える。
【手続補正３】
【補正対象書類名】明細書
【補正対象項目名】０００５
【補正方法】変更
【補正の内容】
【０００５】
図１５Ａから図１５ＣはＢＳデジタル放送の変調モードのフレーム配置の例である。図１５Ａから図１５Ｃにおいて、四角の枠は夫々のスロットを表し、夫々の四角の枠の左に記載されている数値はスロット番号を表している。図１５Ａの場合は、１つ目のチャネル「ＣＨ１」がスロット番号「１」からスロット番号「４６」を使用して、変調方式がＴＣ８ＰＳＫである場合を示している。そうして、２つ目のチャネル「ＣＨ２」はスロット番号「４７」を変調方式ＱＰＳＫ（１／２）で使用し、スロット番号「４８」はダミースロットである場合を示している。図１５Ｂと図１５Ｃは、他の場合を示しているが、説明は省略する。
【手続補正４】
【補正対象書類名】明細書
【補正対象項目名】０００７
【補正方法】変更
【補正の内容】
【０００７】
図１７Ａから図１７ＣはＢＳデジタル放送の変調モードとデジタル放送受信装置のＴＳ出力例である。図１７Ａから図１７Ｃにおいて、四角の枠は夫々のスロットを表し、夫々の四角の枠の左に記載されている数値はスロット番号を表している。図１７Ａの場合は、１つ目のチャネル「ＣＨ１」がスロット番号「１」からスロット番号「４４」を使用して、変調方式がＴＣ８ＰＳＫである場合を示している。そうして、２つ目のチャネル「ＣＨ２」はスロット番号「４５」を変調方式ＢＰＳＫ（１／２）で使用し、スロット番号「４６」からスロット番号「４８」まではダミースロットである場合を示している。図１７Ｂと図１７Ｃは、他の場合を示しているが、説明は省略する。
【手続補正５】
【補正対象書類名】明細書
【補正対象項目名】０００８
【補正方法】変更
【補正の内容】
【０００８】
以上、ＢＳデジタル放送での変調方式のスロット割り当ての例や、ＢＳデジタル放送の変調モードのフレーム配置の例や、ＢＳデジタル放送の変調モードとデジタル放送受信装置のＴＳ出力例などを説明した。次に、従来のデジタル放送送受信装置の動作を動作順に説明する。
【手続補正６】
【補正対象書類名】明細書
【補正対象項目名】０００９
【補正方法】変更
【補正の内容】
【０００９】
アンテナから１ＧＨｚ帯のＢＳ−ＩＦ信号が出力され、デジタル放送受信装置のチューナ１００１にそのＢＳ−ＩＦ信号が供給される。チューナ１００１は、希望チャンネルを選局し、直交検波し、直交検波した信号を復調器１００２に供給する。復調器１００２は変調信号のキャリア再生、クロック再生、イコライジングなどを行う。復調器１００２は、復調した信号を主信号復号器１００３とＴＭＣＣ復号器１００４へ供給する。ＴＭＣＣ復号器１００４は、誤り訂正やデインターリーブ等を実行して復号したＴＭＣＣ信号を復調器１００２と主信号復号器１００３とダミースロット挿入器１００５とＴＳ選択速度変換器１００６に送り、これらを制御に用いられる。主信号復号器１００３は誤り訂正やデインターリーブ等された主信号ＴＳをダミースロット挿入器１００５に出力する。
【手続補正７】
【補正対象書類名】明細書
【補正対象項目名】００１５
【補正方法】変更
【補正の内容】
【００１５】
デジタル放送受信装置は、メモリと、ＴＳ信号をメモリに対し所定の書き込みクロックで書き込みメモリに書き込んだＴＳ信号の一部を選択して読み出しクロックで読み出し出力するＴＳ速度変換器と、ＴＳ速度変換器から出力されるＴＳ信号のＰＣＲを付け替えるＰＣＲ付け替え器とを備える。ＴＳ選択速度変換器は変調方式と符号化率と選択スロット数と全スロット数とに応じて分周比を算出し、ＰＣＲ付け替え器は変調方式と前記符号化率に応じてＰＣＲを付け替える。
【手続補正８】
【補正対象書類名】明細書
【補正対象項目名】００２５
【補正方法】変更
【補正の内容】
【００２５】
図３Ａから図３Ｃは本発明のＢＳデジタル放送の変調モードとＴＳ出力例を示す図である。図３Ａから図３Ｃにおいて、四角の枠は夫々のスロットを表し、夫々の四角の枠の左に記載されている数値はスロット番号を表している。図３Ａは「ＣＨ１」と「ＣＨ２」の全体を示し、図３Ｂは「ＣＨ１」に相当し、図３Ｃは「ＣＨ２」に相当する。図１５Ｃの例において、「ＣＨ２」を選択する際は、Ｎ＝４、Ｎｍａｘ＝４８、有効スロット数＝２、無効スロット数＝２であるので、「ＣＨ２」を選択する際の分周比は、「４／４８×２／（２＋２）」となる。
【国際調査報告】
2009130875.tif 000028
2009130875.tif 000029
2009130875.tif 000030
2009130875.tif 000031